(57)【要約】【課題】送電装置を有する施設と移動体との間の需給関係を考慮して送電装置を予約すること。【解決手段】一実施形態に係る情報処理システムは、１以上の施設により提供される１以上の特典を示す特典リストをユーザ端末に送信する提供部と、ユーザ端末においてユーザにより特典リストから選択された特典をユーザ端末から受信する受信部と、選択された特典に対応する施設である対応施設の送電装置をユーザに対応する移動体のために予約するための予約要求を、該対応施設に向けて送信する要求部とを備える。【選択図】図２
2019139562.tif 000002
【特許請求の範囲】
【請求項１】
１以上の施設により提供される１以上の特典を示す特典リストをユーザ端末に送信する提供部と、
前記ユーザ端末においてユーザにより前記特典リストから選択された特典を前記ユーザ端末から受信する受信部と、
前記選択された特典に対応する前記施設である対応施設の送電装置を前記ユーザに対応する移動体のために予約するための予約要求を、該対応施設に向けて送信する要求部と
を備える情報処理システム。
【請求項２】
前記移動体の充電履歴に基づいて前記移動体の充電の要否を判定する判定部を更に備え、
前記充電が必要であると前記判定部により判定された場合に、前記提供部が前記特典リストを前記ユーザ端末に送信する、
請求項１に記載の情報処理システム。
【請求項３】
前記判定部が、前記移動体のバッテリのＳＯＣ、前記移動体の次の充電時期、および前回の充電からの前記移動体の走行距離のうちの少なくとも一つの属性を前記充電履歴から推定し、推定された該少なくとも一つの属性に基づいて前記移動体の充電の要否を判定する、
請求項２に記載の情報処理システム。
【請求項４】
前記提供部が、複数の前記施設から前記１以上の施設を選択し、該選択された施設により提供される前記１以上の特典を示す前記特典リストを前記ユーザ端末に送信する、
請求項１〜３のいずれか一項に記載の情報処理システム。
【請求項５】
前記提供部が、前記ユーザまたは前記移動体と前記複数の施設との地理的な位置関係に基づいて前記１以上の施設を選択する、
請求項４に記載の情報処理システム。
【請求項６】
前記提供部が、前記ユーザまたは前記移動体の位置から所定の距離内にある前記施設を選択する、
請求項５に記載の情報処理システム。
【請求項７】
前記提供部が、前記移動体の過去の移動経路から所定の距離内にある前記施設を選択する、
請求項５に記載の情報処理システム。
【請求項８】
前記提供部が、前記移動体の到達可能範囲内にある前記施設を選択する、
請求項５に記載の情報処理システム。
【請求項９】
前記提供部が、前記ユーザのユーザ属性に対応する前記施設を選択する、
請求項４〜８のいずれか一項に記載の情報処理システム。
【請求項１０】
前記ユーザ端末が前記移動体の充電の要否を前記ユーザに問い合わせることなく前記特典リストを出力するように、前記提供部が前記特典リストを前記ユーザ端末に送信する、
請求項１〜９のいずれか一項に記載の情報処理システム。
【発明の詳細な説明】
【技術分野】
【０００１】
本開示の一側面は、移動体のバッテリの充電を支援する情報処理システムに関する。
【背景技術】
【０００２】
移動体のバッテリの充電を支援する情報処理システムが知られている。例えば、特許文献１には、到着予定時刻と充電時間とに基づいて充電施設の予約を行う充電施設予約システムが記載されている。特許文献２には、充電時間を電動車両ごとに算出し、算出した充電時間と、予測した電力消費量と、供給可能電力量とに基づき、各々の電動車両の充電開始指示および／または充電停止指示を予約する充電制御システムが記載されている。特許文献３には、第１車両の充電終了時刻と、第１車両の後に充電する第２車両の充電開始時刻との間の時間を算出し、その時間に応じて充電時間を設定する充電装置が記載されている。
【先行技術文献】
【特許文献】
【０００３】
【特許文献１】特開２０１０−２３０４９９号公報
【特許文献２】特開２０１２−１４７６５１号公報
【特許文献３】特開２０１３−８５３４２号公報
【発明の概要】
【発明が解決しようとする課題】
【０００４】
移動体を充電する送電装置を予約する処理では、送電装置を有する施設と移動体との間の需給関係を考慮することが望ましい。
【課題を解決するための手段】
【０００５】
本開示の一側面に係る情報処理システムは、１以上の施設により提供される１以上の特典を示す特典リストをユーザ端末に送信する提供部と、ユーザ端末においてユーザにより特典リストから選択された特典をユーザ端末から受信する受信部と、選択された特典に対応する施設である対応施設の送電装置をユーザに対応する移動体のために予約するための予約要求を、該対応施設に向けて送信する要求部とを備える。
【０００６】
このような側面においては、施設から提供され且つユーザにより選択された特典に対応する施設の送電装置が、そのユーザに対応する移動体のために予約される。この処理により、送電装置を有する施設と移動体との間の需給関係を考慮して送電装置を予約することができる。
【０００７】
他の側面に係る情報処理システムでは、移動体の充電履歴に基づいて移動体の充電の要否を判定する判定部を更に備え、充電が必要であると判定部により判定された場合に、提供部が特典リストをユーザ端末に送信してもよい。移動体の充電が必要である場合に限って特典リストを送信することで、必要性が低い特典リストの送信とその後の処理とが省略される。そのため、通信ネットワークを流れるデータ量と情報処理システムの処理量とを低減することができる。
【０００８】
他の側面に係る情報処理システムでは、判定部が、移動体のバッテリのＳＯＣ、移動体の次の充電時期、および前回の充電からの移動体の走行距離のうちの少なくとも一つの属性を充電履歴から推定し、推定された該少なくとも一つの属性に基づいて移動体の充電の要否を判定してもよい。これらの属性の少なくとも一部を用いることで移動体の充電の要否を的確に判定することができる。
【０００９】
他の側面に係る情報処理システムでは、提供部が、複数の施設から１以上の施設を選択し、該選択された施設により提供される１以上の特典を示す特典リストをユーザ端末に送信してもよい。施設を選択することで特典リストのデータ量が小さくなるので、通信ネットワークを流れるデータ量を抑制することができる。
【００１０】
他の側面に係る情報処理システムでは、提供部が、ユーザまたは移動体と複数の施設との地理的な位置関係に基づいて１以上の施設を選択してもよい。この地理的な位置関係を考慮して施設を選択することで、ユーザが選択する蓋然性が高い特典を該ユーザに提示することができる。この効率的な特典リストの提供により、通信ネットワーク、および情報処理システムのハードウェア資源に係る負荷を低減することができる。
【００１１】
他の側面に係る情報処理システムでは、提供部が、ユーザまたは移動体の位置から所定の距離内にある施設を選択してもよい。ユーザまたは移動体と施設との距離を考慮して施設を選択することで、ユーザが選択する蓋然性が高い特典を該ユーザに提示することができる。
【００１２】
他の側面に係る情報処理システムでは、提供部が、移動体の過去の移動経路から所定の距離内にある施設を選択してもよい。移動体の経路と施設との位置関係を考慮して施設を選択することで、ユーザが選択する蓋然性が高い特典を該ユーザに提示することができる。
【００１３】
他の側面に係る情報処理システムでは、提供部が、移動体の到達可能範囲内にある施設を選択してもよい。移動体が到達可能な施設を選択することで、ユーザが選択する蓋然性が高い特典を該ユーザに提示することができる。
【００１４】
他の側面に係る情報処理システムでは、ユーザのユーザ属性に対応する施設を選択してもよい。ユーザ属性に対応する施設を選択することで、ユーザが選択する蓋然性が高い特典を該ユーザに提示することができる。
【００１５】
他の側面に係る情報処理システムでは、ユーザ端末が移動体の充電の要否をユーザに問い合わせることなく特典リストを出力するように、提供部が特典リストをユーザ端末に送信してもよい。この場合には、ユーザは充電を意識することなく特典を意識することになる。そのため、ユーザは特典のみを意識して施設に向かい、移動体の充電は、その施設において、ユーザが充電を特に気にしない間に行われる。したがって、充電をしなければならないという義務感またはストレスからユーザを解放させることができる。
【発明の効果】
【００１６】
本開示の一側面によれば、送電装置を有する施設と移動体との間の需給関係を考慮して送電装置を予約することができる。
【図面の簡単な説明】
【００１７】
【図１】実施形態に係る情報処理システムの適用の一例を示す図である。
【図２】実施形態に係る情報処理システムの構成の一例を示す図である。
【図３】実施形態に係る情報処理システムで用いられるコンピュータの一般的なハードウェア構成を示す図である。
【図４】実施形態に係る情報処理システムでの処理の一例を示すシーケンス図である。
【図５】特典リストの一例を示す図である。
【発明を実施するための形態】
【００１８】
以下、添付図面を参照しながら本開示の実施形態を詳細に説明する。なお、図面の説明において同一または同等の要素には同一の符号を付し、重複する説明を省略する。
【００１９】
［システムの概要］
実施形態に係る情報処理システム１は、移動体のバッテリの充電を支援するコンピュータシステムである。情報処理システム１は、送電装置を有する１以上の施設から提供される１以上の特典を示す特典リストをユーザに提供する。ユーザがその特典リストの中から特定の特典を選択すると、情報処理システム１は選択された特典に対応する施設（これを「対応施設」という）に対して、該ユーザに対応する移動体のために該対応施設の送電装置を予約するよう要求する。対応施設はその予約要求に応じて、該ユーザのために送電装置を予約する。その後、ユーザまたはその関係者は移動体をその施設（選択した特典に対応する施設、すなわち対応施設）まで移動させ、その施設の送電装置を用いて該移動体を充電することができる。
【００２０】
「移動体」とは、人または物をある場所から別の場所へ輸送する機器である。移動体は、充電式バッテリ（以下では単に「バッテリ」という）を動力源の少なくとも一部として備える。本実施形態では移動体の例として電気自動車を示すが、移動体の種類は何ら限定されるものではない。例えば、移動体は他の種類の自動車でもよいし、バイク、自転車、電車、水上航走体、水中航走体、または飛行機でもよい。したがって、移動体が進む経路は陸路でも水路でも空路でもよい。
【００２１】
「ユーザ」とは、特典を選択すると共に、その選択された特典に対応する施設への移動体の移動に直接にまたは間接的に関与する人である。ユーザは移動体の運転手または操縦者であってもよいし、移動体の搭乗者であってもよいし、移動体に搭乗していない人であってもよい。例えば、ユーザが移動体の運転手または操縦者であれば、このユーザは施設への移動体の移動に直接に関与する人であり得る。ユーザが移動体の搭乗者であれば、このユーザは施設への移動体の移動に直接にまたは間接的に関与する人であり得る。ユーザが移動体に搭乗していない人であれば、このユーザは施設への移動体の移動に間接的に関与する人であり得る。
【００２２】
「ユーザに対応する移動体」とは、特典を選択したユーザと直接にまたは間接的に関連する移動体である。この関係の態様は何ら限定されず、例えば、「ユーザに対応する移動体」は、ユーザが所有するかまたは借りている移動体であってもよいし、ユーザの関係者が所有するかまたは借りている移動体であってもよい。ユーザの関係者の種類も限定されず、例えば家族、友人、知人であってもよい。
【００２３】
「施設」とは、移動体のバッテリを充電可能な送電装置を有する構造物である。施設の種類、規模、および所有者は何ら限定されない。例えば、移動体の種類が限定されないことに対応して、送電装置が設けられる施設の種類も限定されない。例えば、施設は任意の商業施設、公共施設、または個人施設であってもよい。より具体的な施設の例として、充電ステーション、ショッピングモール、レストラン、カフェ、駐車場、スタジアム、病院、市役所、公園、マンション、一軒家、港、および空港が挙げられる。しかし、施設はこれらの例に限定されない。施設が有する送電装置の種類も限定されず、例えば非接触送電装置であってもよいし、有線型（ケーブル型、またはコンセント型ともいう）の送電装置であってもよい。
【００２４】
「特典」とは、施設がユーザに申し出る特別の待遇である。特典の種類および内容は何ら限定されない。特典は、例えば、ユーザへの有体物または無体物の付与であってもよく、より具体的な例として、記念品（ノベルティ）、商品、またはサービスの提供、商品購入における割引、無料券の提供、および、金銭的価値を有するポイントの提供が挙げられる。しかし、特典はこれらの例に限定されない。それぞれの施設は一つの特典を提供してもよいし、複数の特典を提供してもよい。２以上の施設が同じ特典を提供してもよい。「特典リスト」とは、１以上の特典を含むリストを示す情報であり、言い換えると、特典の選択肢を示す情報である。
【００２５】
「送電装置の予約」とは、ユーザが移動体のバッテリを充電できるようにするために、特定の時間帯において送電装置をそのユーザのために空けておく処理のことをいう。この予約により、そのユーザは該特定の時間帯において送電装置を利用することができる。
【００２６】
図１は情報処理システム１を適用する一例を模式的に示す図である。図１は複数の施設３０と一人のユーザ４０とを示すが、情報処理システム１を利用する施設３０およびユーザ４０の数は何ら限定されない。情報処理システム１は、特典を申し出る一または複数の施設３０と、特典を選ぶユーザ４０とを仲介する。情報処理システム１は、その仲介のための主たる機能を実行するサーバ１０を備える。サーバ１０は、その機能の実行に必要なデータを記憶するデータベース群２０を必要に応じて参照する。また、サーバ１０は、各施設３０の端末である施設端末３１および各ユーザ４０のユーザ端末４１とデータ通信を実行することができる。サーバ１０は通信ネットワークを介してデータベース群２０、各施設端末３１、および各ユーザ端末４１と接続する。通信ネットワークの構成は何ら限定されるものでなく、例えば、通信ネットワークはインターネット、イントラネット等の任意の通信網を用いて構築されてよい。
【００２７】
それぞれの施設３０は少なくとも１台の送電装置３２を備える。ユーザ４０に対応する移動体５０はその送電装置３２を用いて充電を実施することができる。移動体５０は受電装置５１およびバッテリ５２を備える。送電装置３２から提供された電気が受電装置５１により受け取られてエネルギとしてバッテリ５２に蓄えられることで、バッテリ５２が充電される。
【００２８】
ユーザ４０はユーザ端末４１を用いて特典リストを確認し、その特典リストから所望の特典を選ぶことができる。ユーザ端末４１として用いられるコンピュータの種類は限定されず、また、ユーザ端末４１は移動体５０に搭載されてもされなくてもよい。例えば、ユーザ端末４１はカーナビゲーションシステムでもよいし、高機能携帯電話機（スマートフォン）、携帯電話機、携帯情報端末（ＰＤＡ）、タブレット、ラップトップパソコン等の携帯端末でもよい。ユーザ端末４１が移動体５０に搭載されない場合には、そのユーザ端末４１は移動体５０内のシステムと接続可能であってもよいし接続しなくてもよい。
【００２９】
［システムの構成］
図２は情報処理システム１の構成の一例を示す図である。情報処理システム１（サーバ１０）は機能要素として特典管理部１１および予約要求部１２を備える。特典管理部１１は、ユーザ端末４１に特典リストを送信し、ユーザによりその特典リストから選択された特典を受信する機能要素である。予約要求部１２はその選択された特典に対応する施設に、送電装置を予約させるための予約要求を送信する機能要素である。特典管理部１１は判定部、提供部、および受信部として機能し、予約要求部１２は要求部として機能する。特典管理部１１および予約要求部１２は、必要に応じてデータベース群２０にアクセスしてデータを読み出したり書き込んだりする。
【００３０】
図３は情報処理システム１（サーバ１０）を構成するコンピュータ１００の一般的なハードウェア構成を示す。例えば、コンピュータ１００はプロセッサ１０１、主記憶部１０２、補助記憶部１０３、通信制御部１０４、入力装置１０５、および出力装置１０６を備える。プロセッサ１０１はオペレーティングシステムおよびアプリケーション・プログラムを実行する。主記憶部１０２は例えばＲＯＭおよびＲＡＭで構成される。補助記憶部１０３は例えばハードディスクまたはフラッシュメモリで構成され、一般に主記憶部１０２よりも大量のデータを記憶する。補助記憶部１０３は、少なくとも１台のコンピュータを情報処理システム１（サーバ１０）として機能させるための情報処理プログラムＰを記憶する。通信制御部１０４は例えばネットワークカードまたは無線通信モジュールで構成される。入力装置１０５は例えばキーボード、マウス、タッチパネルなどで構成される。出力装置１０６は例えばモニタおよびスピーカで構成される。
【００３１】
情報処理システム１（サーバ１０）の各機能要素は、プロセッサ１０１または主記憶部１０２の上に情報処理プログラムＰを読み込ませてその情報処理プログラムＰを実行させることで実現される。情報処理プログラムＰは特典管理部１１および予約要求部１２を実現するためのコードを含む。プロセッサ１０１は情報処理プログラムＰに従って、通信制御部１０４、入力装置１０５、または出力装置１０６を動作させ、主記憶部１０２または補助記憶部１０３におけるデータの読み出しおよび書き込みを行う。この処理により情報処理システム１（サーバ１０）の各機能要素が実現される。処理に必要なデータまたはデータベースは主記憶部１０２または補助記憶部１０３内に格納されてもよい。
【００３２】
情報処理プログラムＰは、例えば、ＣＤ−ＲＯＭ、ＤＶＤ−ＲＯＭ、半導体メモリなどの有形の記録媒体に固定的に記録された上で提供されてもよい。あるいは、情報処理プログラムＰは、搬送波に重畳されたデータ信号として通信ネットワークを介して提供されてもよい。提供された情報処理プログラムＰは補助記憶部１０３に格納される。
【００３３】
情報処理システム１（サーバ１０）は１台のコンピュータで構成されてもよいし、複数台のコンピュータで構成されてもよい。複数台のコンピュータを用いる場合には、これらのコンピュータがインターネットやイントラネットなどの通信ネットワークを介して接続されることで、情報処理システム１（例えば、論理的に一つのサーバ１０）が構築される。
【００３４】
データベース群２０は、情報処理システム１での処理に必要なデータを記憶する１以上のデータベースの集合である。データベースとは、プロセッサまたは外部のコンピュータからの任意のデータ操作（例えば、抽出、追加、削除、上書きなど）に対応できるようにデータ集合を記憶する機能要素（記憶部）である。データベースの実装方法は限定されず、例えばリレーショナル・データベースでもよい。データベース群２０の管理主体および設置場所は限定されない。例えば、データベース群２０は、情報処理システム１とは異なるコンピュータシステムにより管理されてもよいし、情報処理システム１の一部であってもよい。個々のデータベースの管理主体は互いに異なってもよいし同じでもよい。本実施形態では、データベース群２０は充電履歴データベース２１、ユーザデータベース２２、施設データベース２３、および特典データベース２４を含む。
【００３５】
充電履歴データベース２１は充電履歴を記憶する装置である。充電履歴は、過去における移動体５０のバッテリ５２の１回または複数回の充電を示す情報である。充電履歴の構成は限定されない。例えば、充電履歴の各レコードは、移動体ＩＤおよびユーザＩＤの少なくとも一方と、充電量、バッテリ５２のＳＯＣ（Ｓｔａｔｅ  Ｏｆ  Ｃｈａｒｇｅ）、充電場所、および充電日時のうちの少なくとも一つとを含んでもよい。移動体ＩＤは移動体５０を一意に特定するための識別子である。移動体ＩＤの設定方法は限定されない。例えば、移動体ＩＤは車両番号のような重複しない情報でもよいし、移動体５０に搭載された受電装置５１またはバッテリ５２の識別子で代替されてもよい。ユーザＩＤはユーザ４０を一意に特定するための識別子である。ユーザＩＤは、例えば、ユーザ４０が情報処理システム１を利用するためにユーザ登録した際に設定される。
【００３６】
充電履歴の生成に必要なデータ項目（移動体ＩＤ、ユーザＩＤ、充電量、ＳＯＣ、充電場所、または充電日時）は、送電装置３２、受電装置５１、またはユーザ端末４１から提供されてもよい。充電日時は、移動体５０が施設３０または送電装置３２に入場または退場した時刻で表現されてもよい。情報処理システム１（サーバ１０）が、送電装置３２、受電装置５１、またはユーザ端末４１から受信したデータに基づいて充電履歴のレコードを生成してそのレコードを充電履歴データベース２１に格納してもよい。あるいは、情報処理システム１とは異なるコンピュータシステムが充電履歴を生成および格納してもよい。
【００３７】
ユーザデータベース２２はユーザ情報を記憶する装置である。ユーザ情報はユーザ４０に関する情報である。ユーザ情報の構成は限定されない。例えば、ユーザ情報の各レコードは、ユーザＩＤおよびユーザ属性を含んでもよい。ユーザ属性はユーザ４０の性質または特徴を示す情報である。ユーザ属性を構成するデータ項目は限定されない。例えば、ユーザ属性は氏名、性別、住所、電話番号、メールアドレス、趣味、嗜好、および過去に施設３０から受けた特典（特典の利用履歴）のうちの少なくとも一つを含んでもよい。ユーザ属性は移動体５０に関する情報（例えば移動体ＩＤ）を含んでもよい。
【００３８】
ユーザ情報は、例えば、ユーザ４０が情報処理システム１を利用するためにユーザ登録した際に生成されてユーザデータベース２２に格納される。ユーザ情報の生成および格納は情報処理システム１（サーバ１０）により実行されてもよいし、情報処理システム１とは異なるコンピュータシステムにより実行されてもよい。
【００３９】
施設データベース２３は施設情報を記憶する装置である。施設情報は施設３０に関する情報である。施設情報の構成は限定されない。例えば、施設情報の各レコードは、施設ＩＤおよび施設属性を含んでもよく、施設に設けられた１以上の送電装置３２に関する情報を更に含んでもよい。施設ＩＤは施設３０を一意に特定するための識別子である。施設属性は施設３０の性質または特徴を示す情報である。施設属性を構成するデータ項目は限定されない。例えば、施設属性は名称、住所、電話番号、メールアドレス、カテゴリ（施設の種類。例えば「ショッピングモール」「カフェ」など。）、および営業時間のうちの少なくとも一つを含んでもよい。送電装置３２に関する情報を構成するデータ項目は、例えば、送電装置３２の型番、シリアル番号、および仕様（性能）のうちの少なくとも一つを含んでもよい。施設情報の生成および格納は情報処理システム１（サーバ１０）により実行されてもよいし、情報処理システム１とは異なるコンピュータシステムにより実行されてもよい。
【００４０】
特典データベース２４は特典情報を記憶する装置である。特典情報は、施設３０から提供され且つ利用可能な特典を示す情報である。特典情報の構成は限定されない。例えば、特典情報の各レコードは特典ＩＤ、施設ＩＤ、および特典属性を含んでもよい。特典ＩＤは特典の特定に用いられる識別子である。一つの特典は特定ＩＤのみで一意に特定されてもよいし、特典ＩＤおよび施設ＩＤの組合せで一意に特定されてもよい。特典属性は、特典の内容を示す１以上のデータ項目の集合で示される。例えば、特典属性は、特典を適用可能なユーザ（すなわち、特典の対象者）、または割引率を示してもよい。あるいは、特典属性は、付与される記念品、商品、サービス、またはポイントを示してもよい。特典情報の生成および格納は情報処理システム１（サーバ１０）により実行されてもよいし、情報処理システム１とは異なるコンピュータシステムにより実行されてもよい。
【００４１】
データベース群２０内の各データベースおよび各レコードの構成は上記のものに限定されず、各データベースに対して任意の正規化または冗長化を行ってよい。例えば、特典情報は施設情報に取り込まれてもよい。
【００４２】
［システムの動作］
情報処理システム１の動作を説明するとともに本実施形態に係る情報処理方法について説明する。図４は情報処理システム１の動作の一例を示すシーケンス図である。図４を参照しながらの説明では、説明の簡潔のために、一人のユーザ４０のユーザ端末４１と、そのユーザ４０により選択された特典に対応する施設３０とのみを示す。
【００４３】
ステップＳ１１では、特典管理部１１が、ユーザ４０に対応する充電履歴を充電履歴データベース２１から取得する。例えば、特典管理部１１はユーザ４０を示すユーザＩＤに対応する充電履歴を読み出してもよいし、ユーザ４０に対応する移動体ＩＤに対応する充電履歴を読み出してもよい。
【００４４】
ステップＳ１２では、特典管理部１１が、ユーザ４０に対応する移動体５０のバッテリ５２の充電が必要か否かを充電履歴に基づいて判定する（判定ステップ）。例えば、特典管理部１１は充電履歴に基づいて移動体５０のバッテリ５２のＳＯＣを推定し、そのＳＯＣが閾値Ｔａ未満である場合に充電が必要であると判定し、そのＳＯＣが閾値Ｔａ以上であれば充電が不要であると判定してもよい。あるいは、特典管理部１１は充電履歴に基づいて次の充電時期を推定し、現時点と該次の充電時期との間隔が閾値Ｔｂ未満である場合に充電が必要であると判定し、その間隔が閾値Ｔｂ以上であれば充電が不要であると判定してもよい。「次の充電時期」とは、予め設定されている時期（例えば、カレンダー機能を介してユーザ４０により予めスケジューリングされた時期）ではなく、特典管理部１１が、充電履歴に基づく推定により動的に設定する時期である。なお、次の充電時期は日時で表現されてもよいし、日で表現されてもよい。あるいは、特典管理部１１は充電履歴に基づいて、前回の充電からの移動体５０の走行距離を推定し、その走行距離が閾値Ｔｃ以上である場合に充電が必要であると判定し、その走行距離が閾値Ｔｃ未満であれば充電が不要であると判定してもよい。ＳＯＣ、次の充電時期、および走行距離は、充電の要否を判定するための属性の例である。
【００４５】
あるいは、特典管理部１１は、ＳＯＣ、次の充電時期、および走行距離の中から選択される任意の２以上の属性を用いて、充電の要否を判断してもよい。例えば、現時点と次の充電時期との間隔が閾値Ｔｂ以上であっても、ＳＯＣが閾値Ｔｄ未満（Ｔｄ＜Ｔａ）である場合に、特典管理部１１は、充電が必要と判定してもよい。この例のように次の充電時期とＳＯＣとの双方を考慮することで、次の充電時期までにバッテリ５２が切れる確率（言い換えると、バッテリ５２が電力を供給できなくなる確率）を下げることができる。
【００４６】
充電が必要であると判定された場合には、処理はステップＳ１３に進む。一方、充電が不要であると判定された場合には、ステップＳ１３が実行されることなく、そのユーザ４０についての処理が終了する。
【００４７】
ステップＳ１３では、特典管理部１１が特典リストを生成する。特典リストを生成するために、特典管理部１１は施設データベース２３および特典データベース２４を参照し、必要に応じて充電履歴データベース２１またはユーザデータベース２２を参照する。特典管理部１１は、特典リストに含める１以上の特典を任意の手法で決めてよい。
【００４８】
例えば、特典管理部１１は、ユーザ４０または移動体５０と複数の施設３０との地理的な位置関係に基づいて１以上の施設３０を選択し、その選択された施設３０の特典を抽出してもよい（第１の手法）。「地理的な位置関係」とは、物理的な距離を考慮した位置関係であるといえる。地理的な位置関係に基づく選択の方法は限定されない。
【００４９】
地理的な位置関係を用いる一例として、特典管理部１１は、基準位置から、予め定められた距離Ｒａ以内にある１以上の施設３０を選択してもよい。この処理は、相対的に基準位置から近い施設３０の特典を抽出することを意味する。基準位置の設定方法は限定されず、例えば、ユーザ４０の位置（例えば現在位置または住所）、または移動体５０の位置（例えば現在位置）であってもよい。特典管理部１１は、ユーザ端末４１の現在位置を示す位置情報を該ユーザ端末４１から受信してその位置をユーザ４０または移動体５０の現在位置として認識してもよい。あるいは、特典管理部１１は、移動体５０の現在位置を示す位置情報を該移動体５０から受信してその位置を移動体５０の現在位置として認識してもよい。ユーザ端末４１または移動体５０は、ＧＰＳ（グローバル・ポジショニング・システム）などのような位置特定機能を用いて自機の現在位置を取得することができる。ユーザ４０の住所はユーザデータベース２２から取得可能である。
【００５０】
地理的な位置関係を用いる別の例として、特典管理部１１は移動体５０の過去の移動経路を特定または推定し、その経路から、予め定められた距離Ｒｂ以内にある１以上の施設３０を選択してもよい。この処理は、ユーザ４０および移動体５０が再び通りそうな場所に近い施設３０の特典を抽出することを意図する。例えば、特典管理部１１は、移動体５０の過去の移動経路を示す情報をユーザ端末４１から受信してもよいし、充電履歴に基づいてその移動経路を推定してもよい。
【００５１】
地理的な位置関係を用いるさらに別の例として、特典管理部１１は、移動体５０の到達可能範囲を推定し、その範囲内にある１以上の施設３０を選択してもよい。例えば、特典管理部１１は、充電履歴データベース２１から得られる充電履歴と、移動体５０の過去の移動経路を示す情報との少なくとも一方を用いて到達可能範囲を推定してもよい。到達可能範囲とは、移動体５０が充電することなく到達できる範囲のことをいう。
【００５２】
あるいは、特典管理部１１はユーザデータベース２２、施設データベース２３、および特典データベース２４を参照して、ユーザ４０のユーザ属性（例えば趣味、嗜好など）に対応する１以上の施設３０を選択し、その施設３０の特典を抽出してもよい（第２の手法）。「ユーザ属性に対応する施設」とは、ユーザ属性と合致するかまたは包含関係にある施設属性を有する施設のことをいう。例えば、特典管理部１１は、ユーザ属性に対応するカテゴリに属する施設３０を選択してもよい。あるいは、特典管理部１１は、ユーザ属性に合致する特典を提供する施設３０を選択してもよい。
【００５３】
あるいは、特典管理部１１は、上記の第１および第２の手法を組み合わせることで特典を抽出してもよい（第３の手法）。これは、該任意の２以上の手法の組合せにより選択される施設３０の特典を抽出することを意味する。例えば、特典管理部１１は、基準位置から距離Ｒａ以内にあり且つユーザ属性に対応する１以上の施設３０を選択してもよい。あるいは、特典管理部１１は、移動体５０の過去の移動経路から距離Ｒｂ以内にあり且つユーザ属性に対応する１以上の施設３０を選択してもよい。あるいは、特典管理部１１は、移動体５０の到達可能範囲内にあり且つユーザ属性に対応する１以上の施設３０を選択してもよい。
【００５４】
あるいは、特典管理部１１は施設データベース２３および特典データベース２４から得られるすべての特典を抽出してもよい（第４の手法）。
【００５５】
あるいは、特典管理部１１は上記の第１〜第４の手法のいずれかで選択され且つ特典の提供を申し出た施設３０の特典を抽出してもよい（第５の手法）。具体的には、特典管理部１１は、選択した１以上の施設端末３１にユーザ４０に関する情報（ユーザ情報）を送信し、該１以上の施設端末３１の少なくとも一部から上記の申し出を示す申出情報を受信する。この申出情報はユーザ情報に対する応答であるといえる。特典管理部１１は、申出情報を送信した施設３０の特典を抽出する。
【００５６】
特典の抽出方法は第１〜第５の手法に限定されない。いずれにしても、特典管理部１１は抽出された１以上の特典を示す特典リストを生成する。この特典リストは、ユーザ４０がバッテリ５２の充電を希望するか否かの問合せを含まない。
【００５７】
ステップＳ１４では、特典管理部１１が生成した特典リストをユーザ端末４１に送信する（提供ステップ）。ユーザ端末４１はその特典リストを受信する。特典管理部１１は、ユーザ端末４１が、バッテリ５２の充電を希望するか否かをユーザ４０に問い合わせることなく特典リストを出力するように、その特典リストをユーザ端末４１に送信してもよい。例えば、特典管理部１１は、ユーザ端末４１が、バッテリ５２の充電を希望するか否かをユーザ４０に問い合わせないようにするための制御信号（非表示信号）を、該ユーザ端末４１に送信してもよい。
【００５８】
ステップＳ１５では、ユーザ端末４１がその特典リストを出力する。特典リストの出力方法は限定されない。例えば、ユーザ端末４１は特典リストを、モニタ上に表示してもよいし音声により出力してもよい。ユーザ端末４１は、バッテリ５２の充電を希望するか否かの問合せを出力することなく、特典リストを出力してもよい。例えば、ユーザ端末４１は、特典管理部１１から送信された上記の非表示信号を受信したことに応じて、その問合せを出力することなく特典リストを出力してもよい。その問合せを出力することなく特典リストを出力する例として、ユーザ端末４１は特典リストのみを出力してもよい。
【００５９】
図５は、ユーザ端末４１上に表示される特典リストの一例を示す図である。この例では、ユーザ端末４１は特典リスト６０に含まれる４個の特典を表示している。その特典とは、スーパーマーケットＡから提供される「ポイント２倍」と、カフェＢから提供される「コーヒー１杯無料」と、駐車場Ｃから提供される「１時間無料」と、カフェＤから提供される「マグカップのプレゼント」とである。
【００６０】
特典リストの表示方法は限定されない。例えば、特典リストはバナー広告として表示されてもよい。
【００６１】
ステップＳ１６では、ユーザ端末４１がユーザ操作により選択された一つの特典を取得する。例えば、図５に示す画面でユーザがカフェＢの特典を選択した場合には、ユーザ端末４１はその選択された特典を取得する。
【００６２】
ステップＳ１７では、ユーザ端末４１が、選択された特典の情報（希望特典情報）をサーバ１０に送信する。例えば、図５に示す画面でユーザがカフェＢの特典を選択した場合には、ユーザ端末４１はカフェＢと特典「コーヒー１杯無料」とを示す希望特典情報を送信する。サーバ１０では特典管理部１１がその希望特典情報を受信する（受信ステップ）。
【００６３】
ステップＳ１８では、予約要求部１２が、その希望特典情報で示される施設３０に向けて予約要求を送信する（要求ステップ）。予約要求は、希望特典情報で示される特典（すなわち、ユーザ４０により選択された特典）に対応する施設３０の送電装置３２を、該ユーザ４０に対応する移動体５０のために予約するための情報である。例えば、予約要求部１２はユーザデータベース２２を参照してユーザ４０および移動体５０の少なくとも一方に関する情報（例えば、ユーザ４０の氏名、移動体ＩＤなど）を含む予約要求を生成する。そして、予約要求部１２は、選択された特典に対応する施設（対応施設）３０の施設端末３１にその予約要求を送信する。「施設（対応施設）に向けて予約要求を送信する」とは、施設（対応施設）３０が予約要求を認識できるように予約要求を送信することをいう。この処理を実現できるのであれば、予約要求部１２は施設端末３１以外のコンピュータに予約要求を送信してもよい。
【００６４】
ステップＳ１９では、予約要求を受信した施設３０が、ユーザ４０に対応する移動体５０のために送電装置３２を予約する。例えば、施設３０はユーザ４０または移動体５０と、送電装置３２と、予約日時とを関連付けることで送電装置３２を予約する。予約処理の具体的な手法は何ら限定されず、例えば、予約処理は施設３０のコンピュータシステムにより自動化されてもよいし、予約処理の少なくとも一部が人手により為されてもよい。
【００６５】
ステップＳ２０では、予約要求部１２が、施設３０の送電装置３２の予約を示す予約情報をユーザ端末４１に送信する。例えば、予約情報は、選択された特典に対応する施設３０の送電装置３２の予約日時を含んでもよい。予約要求部１２は、送電装置３２を予約した施設３０からの通知を受信し、この通知に基づいて予約情報を生成および送信してもよい。あるいは、予約要求部１２は、ステップＳ１８の処理と並行してまたはその処理の後に予約情報を生成および送信してもよい。いずれにしても、ユーザ４０はユーザ端末４１を介してこの予約情報を確認することで、特典が得られる施設３０にいつ行けば移動体５０のバッテリ５２を充電できるかを知ることができる。
【００６６】
ステップＳ２０の後、ユーザ４０は予約情報に基づいて、選択した特典に対応する施設（対応施設）３０に向かい、その特典とバッテリ５２の充電とを享受することができる。ユーザ４０が特典を利用した事実は、施設端末３１またはユーザ端末４１から入力されてユーザデータベース２２に特典の利用履歴として格納されてもよい。実行された充電の記録は新たな充電履歴として充電履歴データベース２１に格納されてもよい。
【００６７】
情報処理システム１（サーバ１０）は、図４に示す一連の処理を複数のユーザ４０に対して同時に実行してもよく、該一連の処理を一人のユーザ４０に対して複数回実行してもよい。情報処理システム１（サーバ１０）は該一連の処理を任意のタイミングで開始してもよく、例えば、定期的に実行してもよいし、ユーザ端末４１または施設端末３１から処理要求を受信したことを契機に実行してもよい。
【００６８】
［効果］
以上説明したように、本開示の一側面に係る情報処理システムは、１以上の施設により提供される１以上の特典を示す特典リストをユーザ端末に送信する提供部と、ユーザ端末においてユーザにより特典リストから選択された特典をユーザ端末から受信する受信部と、選択された特典に対応する施設である対応施設の送電装置をユーザに対応する移動体のために予約するための予約要求を、該対応施設に向けて送信する要求部とを備える。
【００６９】
本開示の一側面に係る情報処理方法は、少なくとも一つのプロセッサを備える情報処理システムにより実行される情報処理方法であって、１以上の施設により提供される１以上の特典を示す特典リストをユーザ端末に送信する提供ステップと、ユーザ端末においてユーザにより特典リストから選択された特典をユーザ端末から受信する受信ステップと、選択された特典に対応する施設である対応施設の送電装置をユーザに対応する移動体のために予約するための予約要求を、該対応施設に向けて送信する要求ステップとを含む。
【００７０】
本開示の一側面に係る情報処理プログラムは、１以上の施設により提供される１以上の特典を示す特典リストをユーザ端末に送信する提供ステップと、ユーザ端末においてユーザにより特典リストから選択された特典をユーザ端末から受信する受信ステップと、選択された特典に対応する施設である対応施設の送電装置をユーザに対応する移動体のために予約するための予約要求を、該対応施設に向けて送信する要求ステップとをコンピュータシステムに実行させる。
【００７１】
本開示の一側面に係るコンピュータ読み取り可能な記録媒体は、１以上の施設により提供される１以上の特典を示す特典リストをユーザ端末に送信する提供ステップと、ユーザ端末においてユーザにより特典リストから選択された特典をユーザ端末から受信する受信ステップと、選択された特典に対応する施設である対応施設の送電装置をユーザに対応する移動体のために予約するための予約要求を、該対応施設に向けて送信する要求ステップとをコンピュータシステムに実行させる情報処理プログラムを記憶する。
【００７２】
このような側面においては、施設から提供され且つユーザにより選択された特典に対応する施設の送電装置が、そのユーザに対応する移動体のために予約される。この処理により、ユーザに施設を利用してほしいという施設側の供給と、施設を利用したいというユーザ側の需要とが、施設による特典の提供とユーザによる特典の選択とにより考慮される。この結果、移動体のバッテリを充電するために電力を供給可能な送電装置（供給側）と、その供給電力を受け取ることが可能な移動体（需要側）とをマッチングさせることができる。特典の提供および選択を通じて送電装置が予約されるため、送電装置を有する施設と移動体との間の需給関係を考慮して送電装置を予約することができる。
【００７３】
また、その側面においては、ユーザは自ら送電装置を探すことなく送電装置を予約する。言い換えると、送電装置を検索および予約するためのデータ信号がユーザ端末から情報処理システムに送られることなく送電装置の予約が実行される。したがって、そのデータ信号に起因する通信ネットワーク情報の通信量の増加を避けると共に、送電装置の検索および予約に要するユーザ端末のハードウェア資源（例えばプロセッサおよびメモリ）の負荷を低減させることができる。
【００７４】
また、その側面においては、施設から提供される特典とユーザの好みとをマッチングさせることで送電装置が予約される。これは、特典を競りにかけて、ユーザが望む特典を提供する施設で移動体を充電させるという仕組みといえる。この仕組みにより、ユーザに移動体のバッテリの充電を特別に意識させることなく充電の予約を実行することができる。ユーザは、選択した特典を自身が施設で享受している間に移動体がその施設で充電されるという利益を得られる。
【００７５】
他の側面に係る情報処理システムでは、移動体の充電履歴に基づいて移動体の充電の要否を判定する判定部を更に備え、充電が必要であると判定部により判定された場合に、提供部が特典リストをユーザ端末に送信してもよい。移動体の充電が必要である場合に限って特典リストを送信することで、必要性が低い特典リストの送信とその後の処理とが省略される。そのため、通信ネットワークを流れるデータ量と情報処理システムの処理量とを低減することができる。
【００７６】
他の側面に係る情報処理システムでは、判定部が、移動体のバッテリのＳＯＣ、移動体の次の充電時期、および前回の充電からの移動体の走行距離のうちの少なくとも一つの属性を充電履歴から推定し、推定された該少なくとも一つの属性に基づいて移動体の充電の要否を判定してもよい。これらの属性の少なくとも一部を用いることで移動体の充電の要否を的確に判定することができる。
【００７７】
他の側面に係る情報処理システムでは、提供部が、複数の施設から１以上の施設を選択し、該選択された施設により提供される１以上の特典を示す特典リストをユーザ端末に送信してもよい。施設を選択することで特典リストのデータ量が小さくなるので、通信ネットワークを流れるデータ量を抑制することができる。
【００７８】
他の側面に係る情報処理システムでは、提供部が、ユーザまたは移動体と複数の施設との地理的な位置関係に基づいて１以上の施設を選択してもよい。この地理的な位置関係を考慮して施設を選択することで、ユーザが選択する蓋然性が高い特典を該ユーザに提示することができる。この効率的な特典リストの提供により、通信ネットワーク、および情報処理システムのハードウェア資源に係る負荷を低減することができる。
【００７９】
他の側面に係る情報処理システムでは、提供部が、ユーザまたは移動体の位置から所定の距離内にある施設を選択してもよい。ユーザまたは移動体と施設との距離を考慮して施設を選択することで、ユーザが選択する蓋然性が高い特典を該ユーザに提示することができる。
【００８０】
他の側面に係る情報処理システムでは、提供部が、移動体の過去の移動経路から所定の距離内にある施設を選択してもよい。移動体の経路と施設との位置関係を考慮して施設を選択することで、ユーザが選択する蓋然性が高い特典を該ユーザに提示することができる。
【００８１】
他の側面に係る情報処理システムでは、提供部が、移動体の到達可能範囲内にある施設を選択してもよい。移動体が到達可能な施設を選択することで、ユーザが選択する蓋然性が高い特典を該ユーザに提示することができる。
【００８２】
他の側面に係る情報処理システムでは、ユーザのユーザ属性に対応する施設を選択してもよい。ユーザ属性に対応する施設を選択することで、ユーザが選択する蓋然性が高い特典を該ユーザに提示することができる。
【００８３】
他の側面に係る情報処理システムでは、ユーザ端末が移動体の充電の要否をユーザに問い合わせることなく特典リストを出力するように、提供部が特典リストをユーザ端末に送信してもよい。この場合には、ユーザは充電を意識することなく特典を意識することになる。そのため、ユーザは特典のみを意識して施設に向かい、移動体の充電は、その施設において、ユーザが充電を特に気にしない間に行われる。したがって、充電をしなければならないという義務感またはストレスからユーザを解放させることができる。
【００８４】
［変形例］
以上、本開示をその実施形態に基づいて詳細に説明した。しかし、本開示は上記実施形態に限定されるものではない。本開示は、その要旨を逸脱しない範囲で様々な変形が可能である。
【００８５】
情報処理システムのために用いられるデータベースの種類は上記実施形態に限定されない。例えば、充電履歴データベース２１、ユーザデータベース２２、施設データベース２３、および特典データベース２４の中の少なくとも一つが省略されてもよいし、別のデータベースが用いられてもよい。
【００８６】
少なくとも一つのプロセッサにより実行される情報処理方法の処理手順は上記実施形態での例に限定されない。例えば、上述したステップ（処理）の一部が省略されてもよいし、別の順序で各ステップが実行されてもよい。また、上述したステップのうちの任意の２以上のステップが組み合わされてもよいし、ステップの一部が修正又は削除されてもよい。あるいは、上記の各ステップに加えて他のステップが実行されてもよい。例えば、ステップＳ１１，Ｓ１２の処理は省略されてもよく、したがって、情報処理システムは充電の要否を判定することなく、特典リストを生成してユーザ端末に送信してもよい。すなわち、判定部は必須の構成要素ではない。ステップＳ２０の処理が省略されてもよく、したがって、予約情報の送信も必須ではない。
【００８７】
情報処理システムが二つの数値の大小関係を比較する際には、「以上」および「よりも大きい」という二つの基準のどちらを用いてもよく、「以下」および「未満」の二つの基準のうちのどちらを用いてもよい。このような基準の選択は、二つの数値の大小関係を比較する処理についての技術的意義を変更するものではない。
【産業上の利用可能性】
【００８８】
本開示の一側面によれば、送電装置を有する施設と移動体との間の需給関係を考慮して送電装置を予約することができる。
【符号の説明】
【００８９】
１  情報処理システム
１０  サーバ
１１  特典管理部（判定部、提供部、および受信部）
１２  予約要求部（要求部）
２０  データベース群
２１  充電履歴データベース
２２  ユーザデータベース
２３  施設データベース
２４  特典データベース
３０  施設
３１  施設端末
３２  送電装置
４０  ユーザ
４１  ユーザ端末
５０  移動体
５１  受電装置
５２  バッテリ
６０  特典リスト
Ｐ  情報処理プログラム
【図１】
2019139562.tif 000003
【図２】
2019139562.tif 000004
【図３】
2019139562.tif 000005
【図４】
2019139562.tif 000006
【図５】
2019139562.tif 000007
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
２以上の施設により提供される２以上の特典を示す特典リストをユーザ端末に送信する提供部と、
前記ユーザ端末においてユーザにより前記特典リストから選択された特典を前記ユーザ端末から受信する受信部と、
前記選択された特典に対応する前記施設である対応施設の送電装置を前記ユーザに対応する移動体のために予約するための予約要求を、該対応施設に向けて送信する要求部と
を備える情報処理システム。
【請求項２】
前記移動体の充電履歴に基づいて前記移動体の充電の要否を判定する判定部を更に備え、
前記充電が必要であると前記判定部により判定された場合に、前記提供部が前記特典リストを前記ユーザ端末に送信する、
請求項１に記載の情報処理システム。
【請求項３】
前記判定部が、前記移動体の次の充電時期、および前回の充電からの前記移動体の走行距離のうちの少なくとも一つの属性を前記充電履歴から推定し、推定された該少なくとも一つの属性に基づいて前記移動体の充電の要否を判定する、
請求項２に記載の情報処理システム。
【請求項４】
前記提供部が、複数の前記施設から前記２以上の施設を選択し、該選択された２以上の施設のそれぞれの特典を示す前記特典リストを前記ユーザ端末に送信する、
請求項１〜３のいずれか一項に記載の情報処理システム。
【請求項５】
前記提供部が、前記ユーザまたは前記移動体と前記複数の施設との地理的な位置関係に基づいて前記２以上の施設を選択する、
請求項４に記載の情報処理システム。
【請求項６】
前記提供部が、前記ユーザまたは前記移動体の位置から所定の距離内にある前記施設を選択する、
請求項５に記載の情報処理システム。
【請求項７】
前記提供部が、前記移動体の過去の移動経路から所定の距離内にある前記施設を選択する、
請求項５に記載の情報処理システム。
【請求項８】
前記提供部が、前記移動体の到達可能範囲内にある前記施設を選択する、
請求項５に記載の情報処理システム。
【請求項９】
前記提供部が、前記ユーザのユーザ属性に対応する前記施設を選択する、
請求項４〜８のいずれか一項に記載の情報処理システム。
【請求項１０】
前記ユーザ端末が前記移動体の充電の要否を前記ユーザに問い合わせることなく前記特典リストを出力するように、前記提供部が前記特典リストを前記ユーザ端末に送信する、
請求項１〜９のいずれか一項に記載の情報処理システム。
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
２以上の施設により提供される２以上の特典を示す特典リストをユーザのユーザ端末に送信する提供部と、
前記ユーザ端末において前記ユーザにより前記特典リストから選択された特典を前記ユーザ端末から受信する受信部と、
前記選択された特典に対応する前記施設である対応施設の送電装置を前記ユーザに対応する移動体のために予約するための予約要求を、該対応施設に向けて送信する要求部と
を備え、
前記提供部が、複数の前記施設から前記２以上の施設を選択し、該選択された２以上の施設のうち、前記ユーザのユーザ情報を施設端末に送信したことに応答して該施設端末から前記特典の申し出を示す申出情報を送信した少なくとも一部の施設のそれぞれの特典を示す前記特典リストを前記ユーザ端末に送信する、
情報処理システム。
【請求項２】
前記移動体の充電履歴に基づいて前記移動体の充電の要否を判定する判定部を更に備え、
前記充電が必要であると前記判定部により判定された場合に、前記提供部が前記特典リストを前記ユーザ端末に送信する、
請求項１に記載の情報処理システム。
【請求項３】
前記判定部が、前記移動体の次の充電時期、および前回の充電からの前記移動体の走行距離のうちの少なくとも一つの属性を前記充電履歴から推定し、推定された該少なくとも一つの属性に基づいて前記移動体の充電の要否を判定する、
請求項２に記載の情報処理システム。
【請求項４】
前記提供部が、前記ユーザまたは前記移動体と前記複数の施設との地理的な位置関係に基づいて前記２以上の施設を選択する、
請求項１〜３のいずれか一項に記載の情報処理システム。
【請求項５】
前記提供部が、前記ユーザまたは前記移動体の位置から所定の距離内にある前記施設を選択する、
請求項４に記載の情報処理システム。
【請求項６】
前記提供部が、前記移動体の過去の移動経路から所定の距離内にある前記施設を選択する、
請求項４に記載の情報処理システム。
【請求項７】
前記提供部が、前記移動体の到達可能範囲内にある前記施設を選択する、
請求項４に記載の情報処理システム。
【請求項８】
前記提供部が、前記ユーザのユーザ属性に対応する前記施設を選択する、
請求項１〜７のいずれか一項に記載の情報処理システム。
【請求項９】
前記ユーザ端末が前記移動体の充電の要否を前記ユーザに問い合わせることなく前記特典リストを出力するように、前記提供部が前記特典リストを前記ユーザ端末に送信する、
請求項１〜８のいずれか一項に記載の情報処理システム。